(57)【要約】【課題】紙葉類に大きな負担をかけることなく、しかも装置構成を大型化することなく、排紙トレイにおける原稿の排紙整列性を確実に向上できる排紙装置を提供すること。【解決手段】原稿Ｄを排出する排紙ローラ１２８と、排出された原稿Ｄを積載する排紙トレイ１３とを備え、前記排紙トレイ１３は、原稿Ｄの排出方向に向かって高くなる第３の傾斜面１３４ｃと、前記第３の傾斜面１３４ｃに対して、原稿Ｄの排出方向の上流側に連結され、水平面または前記第１の面より緩やかな勾配の斜面もしくは前記第３の傾斜面１３４ｃと逆勾配の斜面からなる第２の傾斜面１３４ｂとを備えている。【選択図】図６
2007015838.tif 000002
【特許請求の範囲】
【請求項１】
紙葉類を排出する排紙手段と、
排出された紙葉類を積載する排紙トレイとを備え、
前記排紙トレイは、
紙葉類の排出方向に向かって高くなる第１の面と、
前記第１の面に対して、紙葉類の排出方向の上流側に連結され、水平面または前記第１の面より緩やかな勾配の斜面もしくは前記第１の面と逆勾配の斜面からなる第２の面とを備えていることを特徴とする排紙装置。
【請求項２】
前記第１の面は、前記排紙手段から排出され得る最大の紙葉類の略半分サイズの紙葉類が前記排紙トレイに積載されたときに、その紙葉類の先端部に対応する位置を含む所定の範囲に亘って配設されていることを特徴とする請求項１記載の排紙装置。
【請求項３】
前記第２の面に対して、紙葉類の排出方向の上流側に配置され、紙葉類の排出方向に向かって高くなる第３の面と、
前記第３の面に対して、紙葉類の排出方向の上流側に連結され、水平面または前記第３の面より緩やかな勾配の斜面もしく前記第３の面と逆勾配の斜面からなる第４の面とを備えていることを特徴とする請求項１または２記載の排紙装置。
【請求項４】
前記第３の面は、前記排紙手段から排出され得る最大の紙葉類の略半分サイズの紙葉類が前記排紙トレイに積載されたときに、その紙葉類の中央部に対応する位置を含む所定の範囲に亘って配設されていることを特徴とする請求項３記載の排紙装置。
【請求項５】
前記第１の面は、排出される紙葉類に前記排出手段による駆動力が作用しているときには、紙葉類が前記傾斜面上で摺動することができる傾斜角を有していることを特徴とする請求項１に記載された排紙装置。
【請求項６】
紙葉類を排出する排紙手段と、
排出された紙葉類を積載する排紙トレイとを備え、
前記排紙トレイは、
紙葉類の排出方向と略直交する幅方向の中央部に設けられ、前記排紙トレイに積載された紙葉類の幅方向の中央部を隆起させる突出部を有し、
前記突出部の上面には、
紙葉類の排出方向に向かって高くなる第１の面と、
前記第１の面に対して、紙葉類の排出方向の上流側に連結され、水平面または前記第１の面より緩やかな勾配の斜面もしくは前記第１の面と逆勾配の斜面からなる第２の面とが形成されていることを特徴とする排紙装置。
【発明の詳細な説明】
【技術分野】
【０００１】
本発明は、例えば画像形成装置の自動原稿送り装置などに搭載されて、取り込まれた紙葉類を排出させる排紙装置に関する。
【背景技術】
【０００２】
複写機などの画像形成装置には、自動原稿送り装置（ＡＤＦ）が搭載されることがある。この自動原稿送り装置は、給紙トレイに積載された原稿（紙葉類）を１枚ずつ取り出して、画像形成装置の読取位置Ｒに送り込み、画像読取後に、排紙トレイに排出するものである。そのため、自動原稿送り装置には、画像読取後の原稿を排出させる排紙部と、排出された原稿を収容する排紙トレイからなる排紙装置が搭載されている。
【０００３】
ところで、従来の排紙装置では、その排出速度や原稿寸法などのばらつきにより、排紙トレイにおける原稿の整列性、すなわち排紙整列性が低下するという問題がある。排紙整列性が低下する主な原因は、排出される原稿の先端が重力により垂れ下がり、既に排紙トレイに排出された原稿の表面と接触して、排紙トレイ上の原稿を移動させてしまうことにある。
【０００４】
この問題を解決するために、排出される原稿にコルゲーションをつけて、排紙時における原稿の直進性を向上させる技術が開発された。原稿の直進性が向上すれば、排出される原稿の先端が排紙トレイ上の原稿と接触する位置が遠ざかるので、排出される原稿が排紙トレイ上の原稿表面と接触している時間、及び面積が小さくなり、その結果、排紙トレイにおける原稿の排紙整列性が向上する。
【０００５】
また、排紙トレイを傾斜させ、排出された原稿を後方に滑落させることにより、原稿の後端を排紙トレイの後端壁で揃える技術も開発された。しかしながら、排紙トレイを傾斜させると、排紙トレイが高くなり、装置構成が大型化する。そこで、排紙トレイの後端部を緩斜面、あるいは平坦にして、排紙トレイの高さを抑制する技術が開発された。
【０００６】
また、原稿の後端を排紙トレイの後端壁で揃える代わりに、排紙トレイに先端壁を設けて、排出される原稿の先端を先端壁で揃える技術も開発された。
【０００７】
さらに、これらの技術を組み合わせたものとして、排紙トレイの後端部を平坦にして、排紙トレイの高さを抑制するとともに、排紙トレイに先端壁を設けて、排出される原稿の先端を先端壁で揃える技術も開発された。この先端壁は、排紙トレイに対して移動可能となっており、各種サイズの原稿に対応可能となっている（例えば、特許文献１参照）。
【特許文献１】特開平７−２７７５７９号公報
【発明の開示】
【発明が解決しようとする課題】
【０００８】
ところで、原稿が完全に排出されるまで、原稿の先端が排紙トレイ上の原稿に接触しないようにするには、かなり大きなコルゲーションが必要となる。しかしながら、原稿に大きなコルゲーションをつけると、大きなストレスが掛かって、原稿が損傷する恐れがある。
【０００９】
また、特許文献１によれば、たしかに装置構成が小型化するが、先端壁が移動可能となっているため、その位置が原稿サイズに対応してなければ、原稿の排紙整列性の向上が期待できない。
【００１０】
例えば、原稿サイズに対して先端壁が遠位にある場合、原稿の先端部を揃えることができず、また原稿サイズに対して先端壁が近位にある場合、原稿の先端部が完全に排出される前に先端壁と衝突してしまい、原稿が折れ曲がるという問題がある。
【００１１】
本発明は、前記事情を鑑みてなされたものであって、その目的とするところは、紙葉類に大きな負担をかけることなく、しかも装置構成を大型化することなく、排紙トレイにおける原稿の排紙整列性を確実に向上することができる排紙装置を提供することにある。
【課題を解決するための手段】
【００１２】
前記課題を解決し目的を達成するために、本発明の排紙装置は次のように構成されている。
【００１３】
（１）紙葉類を排出する排紙手段と、排出された紙葉類を積載する排紙トレイとを備え、前記排紙トレイは、紙葉類の排出方向に向かって高くなる第１の面と、前記第１の面に対して、紙葉類の排出方向の上流側に連結され、水平面または前記第１の面より緩やかな勾配の斜面もしくは前記第１の面と逆勾配の斜面からなる第２の面とを備えている。
【００１４】
（２）（１）に記載された排紙装置において、前記第１の面は、前記排紙手段から排出され得る最大の紙葉類の略半分サイズの紙葉類が前記排紙トレイに積載されたときに、その紙葉類の先端部に対応する位置を含む所定の範囲に亘って配設されている。
【００１５】
（３）（１）または（２）に記載された排紙装置において、前記第２の面に対して、紙葉類の排出方向の上流側に配置され、紙葉類の排出方向に向かって高くなる第３の面と、前記第３の面に対して、紙葉類の排出方向の上流側に連結され、水平面または前記第３の面より緩やかな勾配の斜面もしく前記第３の面と逆勾配の斜面からなる第４の面とを備えている。
【００１６】
（４）（３）に記載された排紙装置において、前記第３の面は、前記排紙手段から排出され得る最大の紙葉類の略半分サイズの紙葉類が前記排紙トレイに積載されたときに、その紙葉類の中央部に対応する位置を含む所定の範囲に亘って配設されている。
【００１７】
（５）（１）に記載された排紙装置において、前記第１の面は、排出される紙葉類に前記排出手段による駆動力が作用しているときには、紙葉類が前記傾斜面上で摺動することができる傾斜角を有している。
【００１８】
（６）紙葉類を排出する排紙手段と、排出された紙葉類を積載する排紙トレイとを備え、前記排紙トレイは、紙葉類の排出方向と略直交する幅方向の中央部に設けられ、前記排紙トレイに積載された紙葉類の幅方向の中央部を隆起させる突出部を有し、前記突出部の上面には、紙葉類の排出方向に向かって高くなる第１の面と、前記第１の面に対して、紙葉類の排出方向の上流側に連結され、水平面または前記第１の面より緩やかな勾配の斜面もしくは前記第１の面と逆勾配の斜面からなる第２の面とが形成されている。
【発明の効果】
【００１９】
本発明によれば、紙葉類に大きな負担をかけることなく、しかも装置構成を大型化することなく、排紙トレイにおける原稿の排紙整列性を確実に向上することができる。
【発明を実施するための最良の形態】
【００２０】
以下、図面を参照しながら、本発明の一実施形態について詳細に説明する。  
（デジタル複写機の構成）  
図１は、本発明の一実施形態に係るデジタル複写機を示す外観図である。図１に示すように、デジタル複写機は、自動原稿送り装置（ＡＤＦ；オートドキュメントフィーダ）１０、スキャナユニット２０、及びプリンタエンジン部３０を備えている。
【００２１】
なお、デジタル複写機では、最大複写原稿サイズをフルサイズと呼び、その半分のサイズをハーフサイズと呼ぶ。したがって、本実施形態では、最大複写原稿サイズがＡ３サイズであるため、Ａ３サイズがフルサイズとなり、その半分のサイズであるＡ４サイズがハーフサイズとなる。
【００２２】
自動原稿送り装置１０は、原稿（紙葉類）Ｄを１枚ずつ取り込み、所定の読取位置Ｒ（後述する）に供給するものである。
【００２３】
スキャナユニット２０は、自動原稿送り装置１０あるいは手置きにより供給された原稿Ｄの画像を光学的に読み取り、画像データに変換するものである。
【００２４】
プリンタエンジン部３０は、帯電チャージャ、レーザユニット、感光体ドラム、現像装置、転写ローラ、及び定着装置（いずれも図示しない）を備えている。帯電チャージャは、感光体ドラムの表面を所定電位に帯電する。レーザユニットは、スキャナユニット２０からの画像データに基づき、感光体ドラムの表面に静電潜像を形成する。現像装置は、感光体ドラム上の静電潜像をトナーにより現像する。転写ローラは、感光体ドラム上に形成されたトナー像を用紙に転写する。定着装置は、用紙に転写されたトナー像を定着させる。このような構成により、スキャナユニット２０により読み取られた原稿画像は、プリンタエンジン部３０にて用紙に複写される。
【００２５】
（自動原稿送り装置１０の構成）  
図２は同実施形態に係る自動原稿送り装置１０を示す斜視図、図３は同実施形態に係る給紙トレイ１１が取り外された自動原稿送り装置１０を示す斜視図、図４は同実施形態に係る自動原稿送り装置１０の内部構成を示す断面図である。
【００２６】
図２〜図４に示すように、自動原稿送り装置１０は、複数枚の原稿Ｄが載置される給紙トレイ１１と、給紙トレイ１１から原稿Ｄを取り出して、搬送経路Ｃ（後述する）に沿って搬送する搬送装置１２と、搬送装置１２から排出される複数枚の原稿Ｄが収容される排紙トレイ１３とから構成される。
【００２７】
搬送装置１２は、第１、第２のガイド部材１２１、１２２を備えている。第１、第２のガイド部材１２１、１２２は、その内側に滑らかなガイド面を備えており、ガイド面とガイド面との隙間には原稿Ｄを搬送するための搬送経路Ｃが形成されている。
【００２８】
この搬送経路Ｃは、給紙トレイ１１と排紙トレイ１３とを連結するような略Ｕ字型をしており、最もスキャナユニット２０に接近する部分には、原稿画像の読取が行われる読取位置Ｒが設けられている。
【００２９】
第１のガイド部材１２１は、第２のガイド部材１２２の外側に配置されており、読取位置Ｒと対応する部分には長方形の開口部１２１ａが形成されている。これにより、搬送経路Ｃを搬送される原稿Ｄは、読取位置Ｒを通過するときに、スキャナユニット２０と対向するようになっている。
【００３０】
搬送経路Ｃには、原稿Ｄの搬送方向の上流側から順に、ピックアップローラ１２３、さばきローラ１２４、第１の搬送ローラ１２５ａ、レジストローラ１２６、第２のローラ１２５ｂ、安定ローラ１２７、第３のローラ１２５ｃ、及び排紙ローラ１２８が配置されている。
【００３１】
ピックアップローラ１２３は、給紙トレイ１１から原稿Ｄを１枚ずつピックアップして搬送装置１２の搬送経路Ｃに取り込む。さばきローラ１２４は、ピックアップローラ１２３により複数枚の原稿Ｄが取り込まれたときに、最も上位にある原稿Ｄのみを通過させ、残りの原稿Ｄの進行を遮断する。第１〜第３の搬送ローラ１２５ａ〜１２５ｃは、さばきローラ１２４によりさばかれた原稿Ｄを搬送経路Ｃに沿って搬送する。レジストローラ１２６は、第１〜第３の搬送ローラ１２５ａ〜１２５ｃにより搬送される原稿Ｄを整位する。安定ローラ１２７は、読取位置Ｒの直前において、第１〜第３の搬送ローラ１２５ａ〜１２５ｃにより搬送される原稿Ｄの挙動を安定させる。排紙ローラ１２８は、排紙トレイ１３と共に本発明の排紙装置４０を構成するものであり、第１〜第３の搬送ローラ１２５ａ〜１２５ｃにより搬送される原稿Ｄを搬送装置１２の搬送経路Ｃから排出する。
【００３２】
なお、これらのローラ１２３〜１２８は、水平に支持された駆動軸に所定間隔で複数個ずつ、本実施形態では４個ずつ設けられており、各駆動軸が回転すると、その駆動軸に設けられた全てのローラ１２３〜１２８が一斉に回転するようになっている。
【００３３】
排紙ローラ１２８の直下には、ピンチローラ１２９が配置されている。このピンチローラ１２９は、第１のガイド部材１２１の溝部１２１ｂ（図５にのみ図示）内に回転自在に配設されており、板バネなどの弾性手段により排紙ローラ１２８の外周面に圧接されている。
【００３４】
ところで、第１のガイド部材１２１は、読取位置Ｒの下流において、第２のガイド部材１２２の下側に位置している。そこで、以下の説明において、第１のガイド部材１２１における読取位置Ｒの下流側の部分を下ガイド部１２１ｃとし、第２のガイド部材１２２における読取位置Ｒの下流側の部分を上ガイド部１２２ｃとする。
【００３５】
図５は、同実施形態に係る排紙装置４０を原稿の搬送方向の下流側から示す概略図である。図５に示すように、下ガイド部（ガイド部材）１２１ｃは、そのガイド面が排紙ローラ１２８の最下部より低くなるように配置され、排紙ローラ１２８の駆動軸の略直下には複数個、本実施形態では４個の突起部１３０を備えている。なお、突起部１３０の個数は、特に限定されるものではない。
【００３６】
これらの突起部１３０は、排紙ローラ１２８と対向しない位置、本実施形態では４個の排紙ローラ１２８のうち、最も外側に位置する排紙ローラ１２８を両側から挟むように１つずつ配設されており、各々の上端部は排紙ローラ１２８の最下部より上側に突出している。
【００３７】
各突起部１３０は、原稿Ｄの搬送方向の上流側の側面部に、搬送方向の下流に行くにつれて高くなる掬い面（図示しない）を備えている。これにより、搬送される原稿Ｄが突起部１３０に到達すると、原稿Ｄの突起部１３０に対応する部分は、その掬い面に掬い上げられて、突起部１３０に乗り上げ、一方、原稿Ｄの排紙ローラ１２８に対応する部分は、そのまま上下ガイド部１２１ｃ、１２２ｃにガイドされて、排紙ローラ１２８とピンチローラ１２９の間に入り込むようになっている。
【００３８】
（排紙トレイ１３の構成）  
次に、図６を参照しながら、本発明の重要なポイントである排紙トレイ１３について説明する。
【００３９】
図６は同実施形態に係る排紙トレイ１３を拡大して示す断面図である。なお、以下の説明において、排紙方向とは、原稿Ｄが排出される方向であり、幅方向とは、排紙方向と直交する方向である。
【００４０】
図６に示すように、この排紙トレイ１３は、排出された原稿Ｄが積載される積載面１３１と、積載面１３１の排紙方向の後端部に設けられ、積載面１３１に載置された原稿Ｄの後端を揃えるための後端面１３２と、積載面１３１の幅方向の両端部に設けられ、積載面１３１に載置された原稿Ｄが幅方向に落下するのを防止するための側壁面１３３とを備えている。
【００４１】
積載面１３１は、後端面１３２に近い方から順に、水平面（第４の面）１３１ａ、及び丘陵面１３１ｂ（図３にのみ図示）を備えており、その幅方向の中央部には、積載面１３１に積載された原稿Ｄの幅方向の中央部を隆起させるための突出部１３４が設けられている。
【００４２】
この突出部１３４は、水平面１３１ａの中途部から丘陵面１３１ｂの後端に及んでおり、排紙トレイ１３の後端面１３２に近い方から順に、第１の傾斜面（第３の面）１３４ａ、第２の傾斜面（第２の面）１３４ｂ、第３の傾斜面（第１の面）１３４ｃ、第４の傾斜面１３４ｄを備えている。
【００４３】
第１〜第４の傾斜面１３４ａ〜１３４ｄは、いずれも排紙方向に向かって高くように傾斜し、積載された原稿Ｄが後端面１３２に向かって滑落し易いようになっている。
【００４４】
第１の傾斜面１３４ａは、排紙トレイ１３の後端面１３２からＡ４サイズの原稿Ｄの縦サイズのほぼ半分だけ離れた位置を中心に、排紙方向の上流と下流に対して所定の幅を持っている。すなわち、第１の傾斜面１３４ａは、積載面１３１に載置されたＡ４サイズの原稿先端位置を含む所定範囲に亘って形成されている。
【００４５】
また、第３の傾斜面１３４ｃは、排紙トレイ１３の後端面１３２からＡ４サイズの原稿Ｄのほぼ縦サイズ分だけ離れた位置を中心に、排紙方向の上流と下流に対して所定の幅を持っている。
【００４６】
これにより、積載面１３１にＡ４サイズの原稿Ｄが載置されると、原稿Ｄの中途部が第１の傾斜面１３４ａ上に対応位置し、原稿Ｄの先端部が第３の傾斜面１３４ｃ上に対応位置するようになっている。
【００４７】
一方、積載面１３１にＡ３サイズの原稿Ｄが載置された場合には、その原稿Ｄの中途部２箇所が第１、第３の傾斜面１３４ａ、１３４ｃ上にそれぞれ対応位置するようになっている。
【００４８】
第１の傾斜面１３４ａは、その排紙方向の上流に連結される水平面１３１ａ、及び排紙方向の下流に連結される第２の傾斜面１３４ｂよりも急斜面であり、その傾斜を利用して、積載された原稿Ｄが排紙方向に移動するのを防止する役割を担っている。
【００４９】
また、第３の傾斜面１３４ｃは、その排紙方向の上流に連結される第２の傾斜面１３４ｂ、及び排紙方向の下流に連結される第４の傾斜面１３４ｄよりも急斜面であり、その傾斜を利用して、積載された原稿Ｄが排紙方向に移動するのを防止する役割を担っている。
【００５０】
すなわち、既に排紙トレイ１３に積載された原稿Ｄに対して、後から排出される原稿Ｄにより排紙方向への摩擦力が付与されたときに、第１、第３の傾斜面１３４ａ、１３４ｃから、排紙トレイ１３上の原稿Ｄに対して、前記摩擦力を相殺する抵抗力が付与されるようになっている。
【００５１】
特に、排紙トレイ１３に積載された原稿ＤがＡ４サイズである場合には、原稿Ｄの先端部が第１の傾斜面１３４ａに対して大きな摩擦角で接触することになるから、後から排出される原稿Ｄにより排紙方向への大きな摩擦力が付与されても、それを相殺するだけの十分な抵抗力が付与されることになる。
【００５２】
これにより、排紙トレイ１３に積載された原稿Ｄに対して、後から排出される原稿Ｄにより排紙方向への摩擦力が付与されても、積載された原稿Ｄは、第１、第３の傾斜面１３４ａ、１３４ｃからの抵抗力により、排紙方向に移動するのが防止される。
【００５３】
なお、第３の傾斜面１３４ｃの傾斜角度は、排紙ローラ１２８によりＡ３サイズの原稿Ｄが排出されるときに、原稿Ｄの進行が第３の傾斜面１３４ｃにより妨げられないように設計されている。すなわち、Ａ３サイズの原稿Ｄに対して排紙ローラ１２８による駆動力が直接作用しているときには、原稿Ｄが第３の傾斜面１３４ｃ上を摺動できるようになっている。これにより、排紙トレイ１３に排出されるＡ３サイズの原稿Ｄは、第３の傾斜面１３４ｃで停止することなく、円滑に第４の傾斜面１３４ｄまで進行できるようになっている。
【００５４】
排紙トレイ１３の先端側の側面には、サブ排紙トレイ１３５が突没自在に収納されている。このサブ排紙トレイ１３５は、排紙トレイ１３の後端面１３２から、Ａ３サイズの原稿Ｄのほぼ縦サイズ分だけ離れた位置に配設されている。これにより、排紙トレイ１３にＡ３サイズの原稿Ｄが積載されると、その先端部がサブ排紙トレイ１３５上に対応位置するようになっている。
【００５５】
サブ排紙トレイ１３５は、第４の傾斜面１３４ｄよりも急斜面であり、その傾斜を利用して、第１、第３の傾斜面１３４ａ、１３４ｃと同様に、排紙トレイ１３に積載されたＡ３サイズの原稿Ｄが排紙方向に移動するのを防止する役割を担っている。
【００５６】
すなわち、既に排紙トレイ１３に積載されたＡ３サイズの原稿Ｄに対し、後から排出される原稿Ｄにより摩擦力が付与されたときに、第１、第３の傾斜面１３４ａ、１３４ｃ、及びサブ排紙トレイ１３５から、排紙トレイ１３上のＡ３サイズの原稿Ｄに対して、前記摩擦力を相殺する抵抗力が付与されるようになっている。
【００５７】
これにより、排紙トレイ１３に積載されたＡ３サイズの原稿Ｄに対して、後から排出される原稿Ｄにより排紙方向への摩擦力が付与されても、積載されたＡ３サイズの原稿Ｄは、第１、第３の傾斜面１３４ａ、１３４ｃ、及びサブ排紙トレイ１３５からの抵抗力により、排紙方向に移動するのが防止される。
【００５８】
また、排紙トレイ１３の積載面１３１、突出部１３４、及びサブ排紙トレイ１３５には、複数のリブ１３６（図３にのみ図示）が排出方向に沿って形成されている。これらのリブ１３６は、原稿Ｄと積載面との接触面積を減らし、これらの摩擦力を低減させるものである。排紙トレイ１３の積載面１３１に最初に載置された原稿Ｄは、これらのリブ１３６の存在により、排紙トレイ１３の後方に滑落する。
【００５９】
（スキャナユニット２０の構成）  
スキャナユニット２０は、読取位置Ｒと対応する位置に、ガラス板（図示しない）を備えている。このガラス板は無色透明をしており、そのスキャナユニット２０側には読取装置（図示しない）が設けられている。この読取装置は、第１のキャリッジ、第２のキャリッジ、結像レンズ、及びＣＣＤセンサ（いずれも図示しない）を備えている。
【００６０】
第１のキャリッジには、ガラス板の面上を通過する原稿Ｄに光を照射する露光ランプ（図示しない）が設けられている。また、第１、第２のキャリッジには、原稿面での反射光を所定方向に反射する第１〜第３のミラー（図示しない）が取付けられている。
【００６１】
原稿Ｄが読取位置Ｒを通過しているときに露光ランプから照射された光は、ガラス板を介して原稿面に到達する。そして、原稿面での反射光は、ガラス板を介してスキャナユニット２０に戻り、第１〜第３のミラーで反射して、結像レンズに導かれる。そして、結像レンズにより収束された光は、ＣＣＤセンサに検出され、画像データの作成に使用される。
【００６２】
また、スキャナユニット２０の上面には、自動原稿送り装置１０を用いることなく、原稿画像を読み取る場合に使用され、手置きにより原稿Ｄが載置される原稿ガラス台（図示しない）が設けられている。
【００６３】
（原稿Ｄの排紙動作）
原稿画像の読取が終了した原稿Ｄは、上下ガイド部１２１ｃ、１２２ｃにガイドされながら排紙ローラ１２８に向けて搬送される。そして、搬送される原稿Ｄが下ガイド部１２１ｃの突起部１３０に到達すると、原稿Ｄの突起部１３０に対応する部分は、その掬い面に掬い上げられて、突起部１３０に乗り上げる。一方、原稿Ｄの排紙ローラ１２８と対応する部分は、そのまま上下ガイド部１２１ｃ、１２２ｃにガイドされ、排紙ローラ１２８とピンチローラ１２９の間に入り込む。
【００６４】
これにより、排紙トレイ１３に排紙される原稿Ｄには、突起部１３０に対応する部位と、排紙ローラ１２８に対応する部位との間で、進行方向に違いが生じる。その結果、排出される原稿Ｄには、断面形状が局所的に略Ｓ字状となる、いわゆるコルゲーションがつけられる。
【００６５】
コルゲーションがつけられた原稿Ｄは、その排出過程において、先端部から徐々に垂れ下がってゆき、最終的に排紙トレイ１３に積載されている原稿Ｄの表面に接触する。そして、排出される原稿Ｄは、その後端部が排紙ローラ１２８とピンチローラ１２９による挟持から開放されるまで排紙方向に進行し、その間中ずっと、排紙トレイ１３に積載された原稿Ｄに対して、排紙方向への摩擦力を付与し続ける。
【００６６】
しかしながら、排紙トレイ１３に積載された原稿ＤがＡ４サイズであれば、その先端部が排紙トレイ１３の第３の傾斜面１３４ｃ、中途部が第１の傾斜面１３４ａに対応位置しているので、後から排出される原稿Ｄにより摩擦力が付与されても、第１、第３の傾斜面１３４ａ、１３４ｃからの抵抗力により、排紙方向に移動することはない。
【００６７】
また、排紙トレイ１３に積載された原稿ＤがＡ３サイズであっても、その中途部が第１、第３の傾斜面１３４ａ、１３４ｃに対応位置し、先端部がサブ排紙トレイ１３５に対応位置しているので、後から排出される原稿Ｄにより摩擦力が付与されても、第１、第３の傾斜面１３４ａ、１３４ｃ、及びサブ排紙トレイ１３５からの抵抗力により、排紙方向に移動することがない。
【００６８】
したがって、本実施形態において、排紙トレイ１３に積載された原稿Ｄの位置や姿勢は、後から排出される原稿Ｄにより乱されることがないから、排紙トレイ１３に収容された原稿Ｄの排紙整列性が向上する。
【００６９】
（本実施形態による作用）
本実施形態における排紙トレイ１３は、排紙方向に向かって高くなるように傾斜して、排紙トレイ１３に積載された原稿Ｄが排紙方向に移動するときに抵抗となる第１、第３の傾斜面１３４ａ、１３４ｃを備えている。
【００７０】
そのため、排紙トレイ１３に積載された原稿Ｄは、後から排出された原稿Ｄにより摩擦力が付与されても、第１、第３の傾斜面１３４ａ、１３４ｃからの抵抗力により、排紙方向に移動することがない。
【００７１】
しかも、本実施形態における第３の傾斜面１３４ｃは、排紙トレイ１３の後端面１３２からＡ４サイズの原稿Ｄのほぼ縦サイズ分だけ離れた位置を中心に、排紙方向の上流と下流に対して所定の幅を持っている。
【００７２】
そのため、排紙トレイ１３にＡ４サイズの原稿Ｄが積載されると、その先端部が第３の傾斜面１３４ｃに大きな摩擦角で接触するから、排紙トレイ１３上のＡ４サイズの原稿Ｄには大きな抵抗力が作用する。すなわち、本実施形態における第３の傾斜面１３４ｃの配置は、排紙トレイ１３上のＡ４サイズの原稿Ｄが最も移動しにくくなるように工夫されている。
【００７３】
また、本実施形態における第１の傾斜面１３４ａは、排紙トレイ１３の後端面１３２からＡ４サイズの原稿Ｄの縦サイズの略半分だけ離れた位置を中心に、排紙方向の上流と下流に対して所定の幅を持っている。
【００７４】
そのため、排紙トレイ１３に多数のＡ４サイズの原稿Ｄが積載され、その厚みにより排紙トレイ１３上の原稿Ｄの先端部が第１の傾斜面１３４ａと接触できなくなっても、排紙トレイ１３上のＡ４サイズの原稿Ｄに対して第１の傾斜面１３４ａから必要な抵抗力が付与されるから、排紙トレイ１３上の原稿Ｄが排紙方向に移動することがない。
【００７５】
また、本実施形態における排紙トレイ１３は、その幅方向の中央部に突出部１３４を備え、前記第１、第３の傾斜面１３４ａ、１３４ｃは、この突出部１３４の上面に設けられている。
【００７６】
そのため、排紙トレイ１３上の原稿Ｄの幅方向の中央部が隆起し、後から排出される原稿Ｄとの摩擦面積が小さくなるから、排紙トレイ１３における原稿Ｄの排紙整列性がさらに向上する。
【００７７】
また、本実施形態に係る排紙トレイ１３は、排紙方向に向かって高くなるように傾斜して、排紙トレイ１３に積載されたＡ３サイズの原稿Ｄが排紙方向に移動するときに抵抗となるサブ排紙トレイ１３５を備えている。
【００７８】
そのため、排紙トレイ１３に積載されたＡ３サイズの原稿Ｄは、後から排出された原稿Ｄにより摩擦力が付与されても、第１、第３の傾斜面１３４ａ、１３４ｃ、及びサブ排紙トレイ１３５からの抵抗力により、排紙方向に移動することがない。
【００７９】
しかも、本実施形態におけるサブ排紙トレイ１３５は、排紙トレイ１３の後端面１３２からＡ３サイズの原稿Ｄのほぼ縦サイズ分だけ離れた位置に配設されている。
【００８０】
そのため、排紙トレイ１３にＡ３サイズの原稿Ｄが積載されると、原稿Ｄの先端部がサブ排紙トレイ１３５に大きな摩擦角で接触するから、排紙トレイ１３上のＡ３サイズの原稿Ｄには大きな抵抗力が作用する。すなわち、本実施形態におけるサブ排紙トレイ１３５の配置は、排紙トレイ１３上のＡ３サイズの原稿Ｄが最も移動し難くなるように工夫されている。
【００８１】
以上をまとめると、大きなコルゲーションをつけることなく、排紙トレイ１３における原稿Ｄの排紙整列性が向上するので、原稿Ｄにかかる負担が低減する。また、排紙トレイ１３の積載面１３１全体を大きく傾斜させる必要が無いので、装置構成が大型化することがない。さらに、排紙ローラ１２８により各種サイズの原稿Ｄが排出されても、その排出が妨げられることが無いから、排紙トレイにおける原稿Ｄの排紙整列性を確実に向上することができる。
【００８２】
なお、第１の傾斜面１３４ａの排紙方向に対する幅を、排紙トレイ１３に積載されたＢ５サイズの原稿先端位置が含まれるように形成しておけば、Ｂ５サイズの原稿Ｄに対しても、前述のＡ４サイズの原稿Ｄと同様の効果が得られる。
【００８３】
また、第１、第３の傾斜面１３４ａ、１３４ｃの傾斜角度は、サブ排紙トレイ１３５が引き出されていない場合であっても、これら傾斜面１３４ａ、１３４ｃの複合作用により排紙トレイ１３に積載されたＡ３サイズの原稿Ｄが排紙方向に移動しないように設計されている。しかしながら、サブ排紙トレイ１３５を引き出すことにより、さらに高い原稿Ｄの排紙整列性が得られる。
【００８４】
また、本実施形態における突出部１３４は、第１、第３の傾斜面１３４ａ、１３４ｃの間に第２の傾斜面１３４ｂを備えているが、例えば図７に示すように、第２の傾斜面１３４ｂの代わりに、第１、第３の傾斜面１３４ａ、１３４ｃの間に、凹曲面１３４ｅを備えていてもよい。
【００８５】
さらに、本実施形態における第１〜第４の傾斜面１３４ａ〜１３４ｄは、積載面１３１の突出部１３４に形成されているが、これに限定されるものではなく、例えば積載面１３１全体に形成されていてもよい。また、突出部１３４を備えていない排紙トレイの積載面に、第１〜第４の傾斜面１３４ａ〜１３４ｄが形成されていてもよい。
【００８６】
なお、本実施形態では、排紙装置４０がデジタル複写機に適用されている例について述べられているが、これは一例に過ぎず、紙が排出される部位であれば、どのようなものに適用されても、それ相応の効果が期待できる。
【００８７】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００８８】
【図１】本発明の一実施形態に係るデジタル複写機を示す正面図。
【図２】同実施形態に係る自動原稿送り装置を示す斜視図。
【図３】同実施形態に係る給紙トレイが取り外された自動原稿送り装置を示す斜視図。
【図４】同実施形態に係る自動原稿送り装置の内部構成を示す断面図。
【図５】同実施形態に係る排紙装置を原稿の搬送方向の下流側から示す概略図。
【図６】同実施形態に係る排紙トレイを拡大して示す断面図。
【図７】同実施形態に係る排紙トレイの変形例を拡大して示す断面図。
【符号の説明】
【００８９】
１３…排紙トレイ、４０…排紙装置、１２８…排紙ローラ、１３１ａ…水平面（第４の面）、１３４…突出部、１３４ａ…第１の傾斜面（第３の面）、１３４ｂ…第２の傾斜面（第２の面）、１３４ｃ…第３の傾斜面（第１の面）、Ｄ…原稿（紙葉類）。
【図１】
2007015838.tif 000003
【図２】
2007015838.tif 000004
【図３】
2007015838.tif 000005
【図４】
2007015838.tif 000006
【図５】
2007015838.tif 000007
【図６】
2007015838.tif 000008
【図７】
2007015838.tif 000009